【手続補正書】
【提出日】平成21年6月17日(2009.6.17)
【手続補正１】
【補正対象書類名】特許請求の範囲
【補正対象項目名】全文
【補正方法】変更
【補正の内容】
【特許請求の範囲】
【請求項１】
遊技領域が形成され、当該遊技領域に向けて打ち込まれた遊技球が流下可能な遊技盤と、
前記遊技盤の遊技領域に設けられ、当該遊技領域に向けて打ち込まれた遊技球を受け入れ可能な始動口と、
前記遊技盤の遊技領域であって前記遊技球の流下方向について前記始動口よりも上流側に設けられ、一または複数の図柄および演出画像を表示可能な表示手段と、
前記遊技盤の遊技領域に設けられ、遊技領域に向けて打ち込まれた遊技球を受け入れ困難な閉状態と当該閉状態よりも遊技領域に向けて打ち込まれた遊技球を受け入れ容易な開状態との間で開閉動作可能な開閉装置と、
一または複数の遊技球を賞として与える遊技球付与手段と、
前記遊技領域に向けて打ち込まれた遊技球が前記始動口に受け入れられたことを検出する始動検出手段、
前記始動検出手段による遊技球の検出に応じて、少なくとも第１の特別当たりおよび第２の特別当たりを含む特別当たりに当選したか否かを判定する抽選手段、
前記表示手段に表示される一または複数の図柄および演出画像の表示制御を行う表示制御手段、
前記開閉装置の開閉動作を実行可能な開閉動作制御手段、
前記抽選手段により特別当たりに当選したと判定されたことに応じて、前記開閉動作制御手段により多量の遊技球が受け入れられるように前記開閉装置の開放を維持すると共に、当該開閉装置の開閉動作を複数回連続して行う特別当たり遊技を実行する特別当たり遊技実行手段、
前記遊技領域に向けて打ち込まれた遊技球が前記開閉装置に受け入れられたことを検出する開閉装置入賞検出手段、
および、少なくとも前記開閉装置入賞検出手段による遊技球の検出に応じて、前記遊技球付与手段により遊技球を賞として与える遊技球付与制御手段、
を少なくとも有する遊技制御手段と、を備えた遊技機であって、
前記開閉装置は、
前記遊技球の流下方向について前記始動口よりも下流側に設けられ、前記特別当たり遊技実行手段によって特別当たり遊技が実行されているときに、前記開閉動作制御手段による開閉動作を実行可能な下部開閉装置と、
前記遊技球の流下方向について前記始動口よりも上流側に設けられ、前記特別当たり遊技実行手段により特別当たり遊技が実行されているときに、前記開閉動作制御手段によって開閉動作を実行可能な上部開閉装置と、から少なくとも構成されており、
前記特別当たり遊技実行手段は、前記抽選手段により特別当たりに当選したと判定されたことに応じて、前記開閉動作制御手段によって前記開閉装置の開閉動作を複数回連続して実行し、且つ、当該複数回連続して実行する前記開閉装置の開閉動作における最後の開閉動作として、前記上部開閉装置の開閉動作を実行するものであって、
前記遊技球の流下方向について前記上部開閉装置よりも下流側に設けられ、当該上部開閉装置に入賞した遊技球を用いて所定の演出動作を実行可能な演出用役物と、
を備えており、
前記遊技制御手段は、
前記抽選手段による判定結果が第１の特別当たりに当選すると、当該第１の特別当たりに基づいて実行される特別当たり遊技の終了後に、前記抽選手段によって特別当たりに当選したと判定される確率が、所定の確率に制御される通常遊技を実行する通常遊技実行手段、
前記抽選手段による判定結果が第２の特別当たりに当選すると、当該第２の特別当たりに基づいて実行される特別当たり遊技の終了後に、前記抽選手段によって特別当たりに当選したと判定される確率が、通常遊技における所定の確率よりも高確率に制御される確変遊技を実行する確変遊技実行手段、
特別当たり遊技において複数回連続して実行される前記開閉装置の開閉動作のうちで、少なくとも前記上部開閉装置の開閉動作が実行されるのに際して、当該上部開閉装置へ向けて遊技球を打ち込ませることを促す誘導演出を導出可能な誘導演出実行手段、および
少なくとも前記抽選手段による判定結果が特別当たりに当選したことに応じて、当該特別当たりに基づいて実行される特別当たり遊技の終了に際して、当該特別当たり遊技の終了後に通常遊技または確変遊技のいずれが実行されるかを、前記抽選手段による判定結果に基づいて予告可能な遊技状態予告手段、
を有しており、
前記抽選手段による判定結果が特別当たりに当選し、且つ、所定条件が成立した場合は、前記特別当たり遊技実行手段が前記開閉装置の開閉動作を複数回連続して実行し、当該開閉装置において最後に実行される開閉動作に際して、前記誘導演出実行手段が前記上部開閉装置へ向けて遊技球を打ち込ませることを促す誘導演出を導出し、
さらに、全ての開閉動作の終了後から特別当たり遊技の終了が導出されるまでのインターバル期間中に、前記遊技状態予告手段が、当該最後の開閉動作によって前記上部開閉装置に入賞した遊技球を少なくとも一つ用いて、前記演出用役物に所定の演出動作を実行させることで、当該特別当たり遊技の終了後に通常遊技または確変遊技のいずれが実行されるかを予告し、
前記特別当たり遊技の終了後は、前記通常遊技実行手段または前記確変遊技実行手段が当該遊技状態予告手段により予告された遊技状態を実行する
ことを特徴とする遊技機。
【請求項２】
さらに、特定の遊技演出について複数の演出パターンが設けられている場合に、当該複数の演出パターンから任意の一を選択するための演出選択手段と、を備え、
前記遊技制御手段は、
前記遊技状態予告手段による遊技状態の予告前に、遊技状態の予告態様が各々異なる複数の演出パターンを示す予告態様選択画面を、前記表示手段に演出画像として表示可能であって、当該予告態様選択画面に示される複数の演出パターンから任意の一を、前記演出選択手段によって選択させる選択画面表示制御手段、を有しており、
前記抽選手段による判定結果が特別当たりに当選し、且つ、所定条件が成立した場合は、当該特別当たり遊技において前記開閉装置で最後に実行される開閉動作の実行前に、前記選択画面表示制御手段が前記予告態様選択画面を前記表示手段に表示し、当該予告態様選択画面から任意の演出パターンを前記演出選択手段によって選択させるものであって、
前記予告態様選択画面から選択された演出パターンが前記演出用役物の演出動作を伴うものであれば、当該開閉装置において最後に実行される開閉動作に際して、前記誘導演出実行手段による誘導演出を導出し、
さらに、前記インターバル期間中に、前記遊技状態予告手段が、当該最後の開閉動作によって前記上部開閉装置に入賞した遊技球を少なくとも一つ用いて、前記演出用役物に所定の演出動作を実行させることで、当該特別当たり遊技の終了後に通常遊技または確変遊技のいずれが実行されるかを予告する一方、
前記予告態様選択画面から選択された演出パターンが前記演出用役物の演出動作を伴わないものであれば、前記誘導演出実行手段による誘導演出を省略し、且つ、前記インターバル期間中に、前記遊技状態予告手段が当該選択された演出パターンに基づいて、当該特別当たり遊技の終了後に通常遊技または確変遊技のいずれが実行されるかを予告する
ことを特徴とする請求項１に記載の遊技機。
【請求項３】
前記遊技制御手段は、
前記抽選手段による判定結果が特別当たりに当選したことに応じて、当該特別当たりに基づいて実行される特別当たり遊技の開始前に、当該判定結果またはこれとは相違する判定結果のいずれかを選択して、第１の特別当たりまたは第２の特別当たりのいずれかを導出する特別当たり導出手段、を有しており、
前記遊技状態予告手段は、前記所定条件が成立したことに応じて、特別当たりに基づいて実行される特別当たり遊技の終了に際して、当該特別当たり遊技の終了後に通常遊技または確変遊技のいずれが実行されるかを、前記抽選手段による判定結果に基づいて予告可能であって、
前記所定条件は、特別当たり遊技の開始前に前記特別当たり導出手段によって第１の特別当たりが導出されると成立する一方、特別当たり遊技の開始前に前記特別当たり導出手段によって第２の特別当たりが導出されると成立しないものであって、
前記抽選手段による判定結果が特別当たりに当選し、且つ、前記所定条件が成立した場合は、前記特別当たり導出手段による第１の特別当たりの導出後に、前記特別当たり遊技実行手段が当該特別当たりに基づいて前記開閉装置の開閉動作を複数回連続して実行し、前記インターバル期間中に、前記遊技状態予告手段が当該最後の開閉動作によって前記上部開閉装置に入賞した遊技球を少なくとも一つ用いて、前記演出用役物に所定の演出動作を実行させることで、当該特別当たり遊技の終了後に通常遊技または確変遊技のいずれが実行されるかを予告する一方、
前記抽選手段による判定結果が特別当たりに当選し、且つ、前記所定条件が成立しなかった場合は、前記特別当たり導出手段による第２の特別当たりの導出後に、前記特別当たり遊技実行手段が当該特別当たりに基づいて前記開閉装置の開閉動作を複数回連続して実行し、前記インターバル期間中は、前記遊技状態予告手段による遊技状態の予告を省略するものであって、
前記遊技状態予告手段による遊技状態の予告が省略される場合におけるインターバル期間は、前記遊技状態予告手段による遊技状態の予告が実行される場合におけるインターバル期間よりも短時間である
ことを特徴とする請求項１または２に記載の遊技機。